(57)【要約】【課題】  携帯性及び利便性を向上させることができる通信アダプタを提供する。【解決手段】  通信アダプタ４は、携帯電話１の筐体本体２に設けられた装着部２ａに着脱可能に構成されたバッテリ蓋部３と、該バッテリ蓋部３に設けられた収容部３ｂに収容され、対応する施解錠装置と無線通信を行うことにより該施解錠装置を制御可能とする通信機能部１３とを備えている。【選択図】      図１
2007028206.tif 000002
【特許請求の範囲】
【請求項１】
携帯電話の構成部品からなり、該携帯電話の筐体本体に設けられた装着部に着脱可能に構成されたケースと、該ケースに設けられた収容部に収容され、対応するセキュリティ機器と無線通信を行うことにより該セキュリティ機器を制御可能とする通信機能部とを備えたことを特徴とする通信アダプタ。
【請求項２】
前記ケースは、携帯電話のバッテリ収容部を覆うバッテリ蓋部であることを特徴とする請求項１に記載の通信アダプタ。
【請求項３】
前記通信機能部に電力を供給する通信用バッテリを備え、該通信用バッテリ及び該通信機能部は、携帯電話における電話機能部と電気的に完全に独立した状態で前記収容部内に収容されることを特徴とする請求項１または請求項２に記載の通信アダプタ。
【請求項４】
前記通信機能部は、前記ケースを前記装着部に装着した際に携帯電話のバッテリに電気的に接続されるバッテリ接続部を備えたことを特徴とする請求項１または請求項２に記載の通信アダプタ。
【請求項５】
前記通信機能部は、前記バッテリ接続部を介して前記携帯電話のバッテリから供給される電力により動作することを特徴とする請求項４に記載の通信アダプタ。
【請求項６】
前記通信機能部に電力を供給する二次電池からなる通信用バッテリを備え、該通信用バッテリは、前記携帯電話のバッテリからの電力によって充電される、または該携帯電話のバッテリが充電器によって充電される際に同時に充電されることを特徴とする請求項４に記載の通信アダプタ。
【発明の詳細な説明】
【技術分野】
【０００１】
本発明は、例えば車両のドア錠制御装置を無線通信によって制御する通信アダプタに関するものである。
【背景技術】
【０００２】
近年、例えば車両や住宅などのドア錠を、無線通信による遠隔操作によって施解錠制御する施解錠制御装置が提案されている。この種の施解錠制御装置では、施解錠制御装置を遠隔操作するための通信機（携帯機）をユーザが常に所持する必要があるため、ユーザの所持品数が増えてしまう。
【０００３】
そこで従来、例えば特許文献１に記載されるように、普及率が著しく増加している携帯電話に携帯機の機能を設ける技術が提案されている。この特許文献１に記載される携帯電話は、ドア錠を施解錠操作するための操作が行われると、携帯電話の機能を制御するマイクロコンピュータ（電話機能部）によって機能コードの送信処理を行い、該機能コードを無線信号として車両用ドア錠制御装置に送信する。すなわち、携帯電話は、車両用ドア錠制御装置の通信機としての機能を有している。このため、ユーザは、携帯電話を携帯していれば通信機を単独で携帯する必要がなく、携帯性が向上する。
【特許文献１】特開平１０−３１７７４８号公報
【発明の開示】
【発明が解決しようとする課題】
【０００４】
しかしながら、こうした携帯機としての機能部と電話機能部とが一体となった携帯電話では、携帯機としての機能をもたない一般的な携帯電話から変更する際には、携帯電話自体を買い換える必要がある。また、機種変更時においても、携帯電話全体を買い換える必要がある。しかも、セキュリティの観点から、変更した古い携帯電話に記録された機能コードをドア錠制御装置から削除する必要もある。このため、こうした携帯電話では、利便性の点で問題がある。
【０００５】
本発明はこうした実情に鑑みてなされたものであり、その目的は、携帯性及び利便性を向上させることができる通信アダプタを提供することにある。
【課題を解決するための手段】
【０００６】
上記の課題を解決するために、請求項１に記載の発明では、携帯電話の構成部品からなり、該携帯電話の筐体本体に設けられた装着部に着脱可能に構成されたケースと、該ケースに設けられた収容部に収容され、対応するセキュリティ機器と無線通信を行うことにより該セキュリティ機器を制御可能とする通信機能部とを備えたことを要旨とする。
【０００７】
請求項２に記載の発明では、請求項１に記載の通信アダプタにおいて、前記ケースは、携帯電話のバッテリ収容部を覆うバッテリ蓋部であることを要旨とする。
請求項３に記載の発明では、請求項１または請求項２に記載の通信アダプタにおいて、前記通信機能部に電力を供給する通信用バッテリを備え、該通信用バッテリ及び該通信機能部は、携帯電話における電話機能部と電気的に完全に独立した状態で前記収容部内に収容されることを要旨とする。
【０００８】
請求項４に記載の発明では、請求項１または請求項２に記載の通信アダプタにおいて、前記通信機能部は、前記ケースを前記装着部に装着した際に携帯電話のバッテリに電気的に接続されるバッテリ接続部を備えたことを要旨とする。
【０００９】
請求項５に記載の発明では、請求項４に記載の通信アダプタにおいて、前記通信機能部は、前記バッテリ接続部を介して前記携帯電話のバッテリから供給される電力により動作することを要旨とする。
【００１０】
請求項６に記載の発明では、請求項４に記載の通信アダプタにおいて、前記通信機能部に電力を供給する二次電池からなる通信用バッテリを備え、該通信用バッテリは、前記携帯電話のバッテリからの電力によって充電される、または該携帯電話のバッテリが充電器によって充電される際に同時に充電されることを要旨とする。
【００１１】
以下、本発明の「作用」について説明する。
請求項１に記載の発明によると、セキュリティ機器を制御可能とするための通信機能部が携帯電話に収容されているため、ユーザは携帯電話を所持していればセキュリティ機器の制御を行うことができる。よって、ユーザは、通信機能部を単体で所持する必要がないため、結果として所持品数が減る。しかも、通信機能部は携帯電話の機能部とは別に設けられているため、例えば携帯電話の機種変更を行う際には、通信機能部をそのまま流用することで対応させることができ、該通信機能部までをも変更する必要がない。また、既存の携帯電話に通信機能部を後付けする場合においても、ケースのみを通信機能部内蔵のものに変更すればよい。
【００１２】
請求項２に記載の発明によると、通常、バッテリはメンテナンスが必要なためバッテリを覆う蓋部は携帯電話の筐体本体に対して容易に着脱可能となっている。このため、こうしたバッテリ蓋部に通信機能部を収容可能とすることにより、筐体本体に対する通信機能部の装着や変更が容易となる。
【００１３】
請求項３に記載の発明によると、通信機能部は携帯電話の電話機能部と電気的な接続関係を有しないため、通信機能部によって携帯電話のバッテリが消耗されることがない。また、通信用バッテリが設けられているため、携帯電話のバッテリの消耗にかかわらず、通信機能部は動作可能となる。
【００１４】
請求項４に記載の発明によると、通信機能部は携帯電話のバッテリに電気的に接続される。このため、該携帯電話のバッテリから供給される電力によって通信機能部を動作させたり、通信機能部の電力供給源として二次電池を設けた際に、その二次電池に対する充電を可能としたりすることができる。
【００１５】
請求項５に記載の発明によると、通信機能部は携帯電話のバッテリから供給される電力によって動作するため、通信機能部を動作させるためのバッテリをケースに収容する必要がない。それゆえ、部品点数の低減及びケースの小型化が可能となる。
【００１６】
請求項６に記載の発明によると、通信用バッテリの交換頻度を低減することが可能となる。また、携帯電話のバッテリからの電力によって通信用バッテリを充電可能とした場合、該通信用バッテリは、携帯電話のバッテリがバッテリ切れとならない限り通信機能部に対して給電可能となる。このため、通信機能部の連続動作時間を長く確保することができる。一方、充電器によって通信用バッテリを充電可能とした場合、携帯電話のバッテリを充電するたびに同時に充電されるため、該通信用バッテリのバッテリ切れを抑制することができる。しかも、携帯電話のバッテリの電力の全てを携帯電話の動作に割り当てることができるため、該携帯電話のバッテリの消耗を抑制することができる。
【発明の効果】
【００１７】
以上詳述したように、本発明によれば、携帯性及び利便性を向上させることができる通信アダプタを提供することができる。
【発明を実施するための最良の形態】
【００１８】
以下、本発明を具体化した一実施形態を図１及び図２に基づき詳細に説明する。
図１（ａ）に示すように、携帯電話１は、筐体本体２とその筐体本体２に設けられた装着部２ａに着脱可能なケースとしてのバッテリ蓋部３とを備えている。筐体本体２には、図２に示す電話機能部１１が収容されている。また、装着部２ａが設けられた箇所には、該電話機能部１１への電力供給を行う電話用バッテリ１２を収容するバッテリ収容部２ｂが設けられている。このため、バッテリ蓋部３は、筐体本体２の装着部２ａに装着された際に、バッテリ収容部２ｂを覆った状態となる。
【００１９】
バッテリ蓋部３は平面視で略長方形状をなし、バッテリ収容部２ｂ側の面（収容部側面）３ａには、凹所からなる収容部３ｂが設けられている。そして、この収容部３ｂには、図２に示す通信機能部１３と、該通信機能部１３への電力供給を行う通信用バッテリ１４とが収容されている。なお、本実施形態において通信用バッテリ１４は、一次電池によって構成されている。すなわち、本実施形態においては、バッテリ蓋部３、通信機能部１３及び通信用バッテリ１４によって通信アダプタ４が構成されている。
【００２０】
また、筐体本体２及びバッテリ蓋部３には互いに係合する図示しない係合部がそれぞれ設けられ、それら係合部同士が係合することにより、図１（ｂ）に示すように筐体本体２にバッテリ蓋部３が装着されるようになっている。このため、筐体本体２にバッテリ蓋部３が装着された状態においては、電話用バッテリ１２とバッテリ蓋部３との間に通信機能部１３が介在された状態となる。
【００２１】
なお、各係合部は、解除方向にある程度の応力（人の手の力程度の応力）が加わった際に解除するようになっている。これにより、筐体本体２に対してバッテリ蓋部３を着脱可能となっている。また、本実施形態において、バッテリ蓋部３における収容部側面３ａと反対側の面（意匠面）３ｃは、バッテリ蓋部３が筐体本体２に装着された際に、該意匠面３ｃと接する筐体本体２の面２ｃとが面一になるように設定されている。しかし、これに限らず、例えばバッテリ蓋部３の意匠面３ｃが筐体本体２の面２ｃよりも突出するように設定されていてもよい。
【００２２】
通信機能部１３は一枚のプリント配線板からなり、図２に示すように、マイクロコンピュータ（マイコン）２１と、該マイコン２１に電気的に接続された施錠スイッチ２２、解錠スイッチ２３、表示部２４、受信部２５及び送信部２６とを備えている。こうした通信機能部１３は、電話機能部１１とは電気的に完全に独立した状態（電気的に接続されていない状態）となっている。すなわち、電話機能部１１は電話用バッテリとのみ電気的に接続され、通信機能部１３は通信用バッテリ１４とのみ電気的に接続された状態となっている。
【００２３】
図１（ｂ）に示すように、施錠スイッチ２２、解錠スイッチ２３及び表示部２４は、バッテリ蓋部３における収容部側面３ａと反対側の面（意匠面）３ｃに露出するように設けられている。このため、バッテリ蓋部３を筐体本体２に装着した状態において、携帯電話の所持者（ユーザ）は、施錠スイッチ２２及び解錠スイッチ２３を操作可能となるとともに、表示部２４を視認可能となる。なお、本実施形態において施錠スイッチ２２及び解錠スイッチ２３は、押しボタンスイッチによって構成されている。このため、これらスイッチ２２，２３が押圧操作された際に、その操作信号がマイコン２１に入力される。
【００２４】
マイコン２１は、具体的には図示しないＣＰＵ、ＲＯＭ、ＲＡＭ等からなるワンチップマイコンであり、不揮発性のメモリ２１ａを備えている。このメモリ２１ａには、予め設定された固有のＩＤコード、施錠コード及び解錠コードが記録されている。こうしたマイコン２１は、施錠スイッチ２２や解錠スイッチ２３や受信部２５からの入力信号に基づいて通信処理を行い、送信部２６を介して外部の施解錠装置（セキュリティ機器）３１と無線通信を行う。そこで、このように構成された通信機能部１３と施解錠装置３１との間で行われる通信制御について説明する。なお、本実施形態において施解錠装置３１は、車両に配設されて該車両のドア錠の施解錠制御を行う車両用ドア錠制御装置として具体化した例を示す。また、本実施形態では、通信機能部１３と施解錠装置３１との間で双方向通信が行われ、該双方向通信に基づいてドア錠の施解錠制御が行われる例を示す。
【００２５】
＜無線通信制御＞
（Ａ）双方向通信に基づく施解錠制御
まず、施解錠装置３１は、受信部２５によって受信可能な無線信号（リクエスト信号）を定期的に送信する。このリクエスト信号は、車両の近辺（例えば１ｍ程度）に送信される。
【００２６】
そして、受信部２５は、リクエスト信号を受信すると、そのリクエスト信号をパルス信号に復調してマイコン２１に送信する。
マイコン２１は、受信部２５からリクエスト信号が入力されると、メモリ２１ａに記録されたＩＤコードを含むＩＤコード信号を送信部２６に出力する。それとともに、マイコン２１は、表示部２４に対して点灯信号を所定時間出力して該表示部２４を点灯させる。
【００２７】
送信部２６は、ＩＤコード信号が入力されると、そのＩＤコード信号を電波に変調して外部に送信する。
そして、施解錠装置３１は、ＩＤコード信号を受信すると、そのＩＤコード信号に含まれるＩＤコードと自身に予め記録されたＩＤコードとの比較（ＩＤコード照合）を行い、それらＩＤコード同士が一致したことを条件としてドア錠を施解錠する。
【００２８】
このため、携帯電話１を所持するユーザは、携帯電話１を何ら操作することなくドア錠を施解錠させることができる。
（Ｂ）単方向通信に基づく施解錠制御
また、上記双方向通信に限らず、マイコン２１は、施錠スイッチ２２や解錠スイッチ２３から操作信号が入力された場合には、リクエスト信号の入力有無にかかわらず、表示部２４を所定時間点灯させるとともに、送信部２６を介してＩＤコード信号を送信する。詳しくは、マイコン２１は、施錠スイッチ２２から操作信号が入力されると、施錠コードと前記ＩＤコードとを含む施錠指令信号を、送信部２６を介して外部に送信する。また、マイコン２１は、解錠スイッチ２３から操作信号が入力されると、解錠コードと前記ＩＤコードとを含む解錠指令信号を、送信部２６を介して外部に送信する。
【００２９】
そして、施解錠装置３１は、対応する施錠指令信号を受信した場合にはドア錠を施錠し、対応する解錠指令信号を受信した場合にはドア錠を解錠する。
このため、携帯電話１を所持するユーザは、施錠スイッチ２２や解錠スイッチ２３を押圧操作することによってドア錠を施解錠させることができる。
【００３０】
したがって、本実施形態によれば以下のような効果を得ることができる。
（１）施解錠装置３１を制御可能とするための通信機能部１３が携帯電話１に収容されているため、ユーザは携帯電話１を所持していれば施解錠装置３１の制御を行うことができる。よって、ユーザは、通信機能部１３を単体で所持する必要がないため、結果として所持品数が減る。しかも、通信機能部１３は携帯電話１の電話機能部１１とは別に設けられているため、例えば携帯電話１の機種変更を行う際には、通信機能部１３をそのまま流用することで対応させることができ、該通信機能部１３までをも変更する必要がない。また、既存の携帯電話１に通信機能部１３を後付けする場合においても、バッテリ蓋部３のみを通信機能部１３を内蔵したものに変更すればよい。このため、通信機能部１３の携帯性及び利便性を向上させることができる。
【００３１】
しかも、通信機能部１３は携帯電話１の構成部品の一部であるバッテリ蓋部３内に収容される。このため、例えば通信機能部１３を携帯電話１の構成部品とは別部品として構成し、例えば該携帯電話１の充電器接続コネクタなどに装着可能としたアタッチメント式の通信アダプタとした場合に比べて携帯電話１の一体感が増すとともに、通信機能部１３が携帯電話１から脱落してしまうことも抑制することができる。
【００３２】
（２）通常、電話用バッテリ１２はメンテナンスが必要なためバッテリ蓋部３は携帯電話１の筐体本体２に対して容易に着脱可能となっている。このため、こうしたバッテリ蓋部３に通信機能部１３を収容可能とすることにより、筐体本体２に対する通信機能部１３の装着や変更が容易となる。
【００３３】
（３）通信機能部１３は携帯電話１の電話機能部１１と電気的な接続関係を有しないため、筐体本体２に対するバッテリ蓋部３の着脱を容易に行うことができる。しかも、通信機能部１３によって電話用バッテリ１２が消耗されることがない。また、通信用バッテリ１４が設けられていることにより、電話用バッテリ１２の消耗の如何にかかわらず、通信機能部１３を動作させることができる。
【００３４】
（４）バッテリ蓋部３の意匠面３ｃには、通信機能部１３を操作するための操作部（施錠スイッチ２２及び解錠スイッチ２３）が設けられている。このため、通信機能部１３を自由に動作させることができる。しかも、携帯電話１の操作部（図示略）とは別途独立しているため、誤操作も防止することができる。
【００３５】
なお、本発明の実施形態は以下のように変更してもよい。
・  前記実施形態において通信用バッテリ１４は、一次電池によって構成されている。しかし、通信用バッテリ１４を二次電池によって構成してもよい。そして、例えば図３に示すように、通信機能部１３を構成するプリント配線板に、通信用バッテリ１４と電気的に接続された電極３２を設けるとともに、筐体本体２の装着部２ａにおいて該電極３２と対応する箇所に、電話用バッテリ１２に接続され該電極３２と接触する電極３３を設けてもよい。すなわちこの場合、電極３２がバッテリ接続部として機能する。このようにすれば、通信機能部１３は電話用バッテリ１２から供給される電力や、電話用バッテリ１２を充電するための充電器によって充電させることができる。このため、電話用バッテリ１２からの電力によって通信用バッテリ１４を充電可能とした場合、該通信用バッテリ１４は、電話用バッテリ１２がバッテリ切れとならない限り通信機能部１３に対して給電可能となる。このため、通信機能部１３の連続動作時間を長く確保することができる。一方、充電器によって通信用バッテリ１４を充電可能とした場合、電話用バッテリ１２を充電するたびに同時に充電されるため、該通信用バッテリ１４のバッテリ切れを抑制することができる。しかも、電話用バッテリ１２の電力の全てを電話機能部１１の動作に割り当てることができるため、該電話用バッテリ１２の消耗を抑制することができる。
【００３６】
また、通信用バッテリ１４を省略し、該電極３２，３３を介して供給される電話用バッテリ１２からの電力によって通信機能部１３が動作するように変更してもよい。このようにすれば、通信用バッテリ１４の交換が不要となるとともに、通信用バッテリ１４をバッテリ蓋部３に収容する必要がなくなるため、部品点数の低減及びバッテリ蓋部３の小型化が可能となる。
【００３７】
・  例えば図４に示すように、電話用バッテリ１２と通信機能部１３とは、筐体本体２に対してバッテリ蓋部３が装着された際に、該筐体本体２及びバッテリ蓋部３が重ね合わせられた方向に対して直交する方向に並列に配置されるようになっていてもよい。
【００３８】
・  通信機能部１３が収容されるケースは、バッテリ蓋部３に限らず、携帯電話１の構成部品の一部をなし、且つ筐体本体２に対して着脱可能となっていればよい。
・  施錠スイッチ２２及び解錠スイッチ２３や、表示部２４を省略してもよい。
【００３９】
・  バッテリ蓋部３において、収容部３ｂを覆うカバーを装着可能とし、バッテリ蓋部３を筐体本体２に装着した際に、通信機能部１３と電話用バッテリ１２との間がカバーによって隔絶されるようになっていてもよい。
【００４０】
・  受信部２５を省略してもよい。この場合、通信機能部１３は、施錠スイッチ２２が操作された際に施錠指令信号を送信し、解錠スイッチ２３が操作された際に解錠指令信号を送信するのみとなる。
【００４１】
・  セキュリティ機器としての施解錠装置３１は、車両用ドア錠制御装置に限らず、例えば住宅のドア錠の施解錠制御装置や、車両や住宅のセキュリティ機能の設定・解除を行うセキュリティ制御装置として具体化されてもよい。
【００４２】
次に、特許請求の範囲に記載された技術的思想のほかに、前述した実施形態によって把握される技術的思想を以下に列挙する。
（１）  請求項１〜６のいずれか１項に記載の通信アダプタにおいて、前記ケースの意匠面には、前記通信機能部を操作するための操作部が設けられていること。このようにすれば、通信機能部を自由に動作させることができる。しかも、携帯電話の操作部とは別途独立しているため、誤操作も防止することができる。
【００４３】
（２）  請求項１〜６、技術的思想（１）のいずれか１項に記載の通信アダプタにおいて、前記セキュリティ機器は施解錠装置であり、前記通信機能部は、該セキュリティ機器との無線通信に基づいて電気的に施解錠を行う電子錠装置との通信を行う電子キー機能部であること。
【００４４】
（３）  電話機能部と、該電話機能部が収容される筐体本体と、その筐体本体に設けられた装着部に着脱可能に構成されたケースと、該ケースに設けられた収容部に収容され、対応するセキュリティ機器と無線通信を行うことにより該セキュリティ機器を制御可能とする通信機能部とを備えたことを特徴とする携帯電話。
【図面の簡単な説明】
【００４５】
【図１】（ａ）は本発明の一実施形態の携帯電話の概略構成を示す分解斜視図、（ｂ）は組付状態を示す斜視図。
【図２】同実施形態の電気的構成を概略的に示すブロック図。
【図３】他の実施形態の携帯電話の概略構成を示す分解斜視図。
【図４】他の実施形態の携帯電話の概略構成を示す分解斜視図。
【符号の説明】
【００４６】
１…携帯電話、２…筐体本体、２ａ…装着部、２ｂ…バッテリ収容部、３…ケースとしてのバッテリ蓋部、３ｂ…収容部、１１…電話機能部、１２…電話用バッテリ、１３…通信機能部、１４…通信用バッテリ、２２…操作部としての施錠スイッチ、２３…操作部としての解錠スイッチ、３１…セキュリティ機器としての施解錠装置、３２…バッテリ接続部としての電極。
【図１】
2007028206.tif 000003
【図２】
2007028206.tif 000004
【図３】
2007028206.tif 000005
【図４】
2007028206.tif 000006